(57)【要約】【課題】室内の設備の占有スペースの増大を抑制して、室内に非常灯の機能を導入する。【解決手段】給湯器本体１に、キャパシタ２２と、商用電源３０からから供給される電力によりキャパシタ２２を充電する電源制御部２１と、商用電源３０の停電を検出する停電検出部２０と、商用電源３０から給電されているときは、商用電源３０から供給される電力を接続ケーブル４１，４３を介してリモコン４０，４２に供給して、リモコン４０，４２を作動させ、商用電源３０が停電したときには、キャパシタ２２から供給される電力を接続ケーブル４１，４３を介してリモコン４０，４２に供給して、リモコン４０，４２の表示部４０ａ，４２ａのバックライトを発光させるリモコン制御部１１とを備える。【選択図】  図１
2011237131.tif 000002
【特許請求の範囲】
【請求項１】
家屋の室外に設置されて、商用電源から供給される電力により作動する給湯器本体と、
発光部を有し、前記給湯器本体と接続ケーブルを介して接続されて、前記家屋の室内に設けられた前記給湯器本体の遠隔操作用のリモコンと
を備えた給湯装置において、
前記給湯器本体は、
蓄電部と、
前記商用電源から供給される電力により前記蓄電部を充電する充電部と、
前記商用電源の停電を検出する停電検出部と、
前記商用電源から給電されているときは、前記商用電源から供給される電力を前記接続ケーブルを介して前記リモコンに供給して、前記リモコンを作動させ、前記商用電源が停電したときには、前記蓄電部から供給される電力を前記接続ケーブルを介して前記リモコンに供給して、前記リモコンの発光部を発光させるリモコン制御部と
を有することを特徴とする給湯装置。
【請求項２】
請求項１記載の給湯装置において、
前記リモコン制御部は、前記商用電源が停電し、前記蓄電部から前記接続ケーブルを介して前記リモコンに電力を供給して、前記リモコンの発光部を発光させるときに、停電が生じていることを報知することを特徴とする給湯装置。
【請求項３】
請求項１又は請求項２記載の給湯装置において、
前記リモコンが浴室に設置されていることを特徴とする給湯装置。
【請求項４】
請求項１又は請求項２記載の給湯装置において、
複数の前記リモコンが、前記家屋の室内に設置されていることを特徴とする給湯装置。
【発明の詳細な説明】
【技術分野】
【０００１】
本発明は、給湯器本体とそのリモコンを備えた給湯装置に関する。
【背景技術】
【０００２】
給湯装置の使用者が夜間に入浴中であるときに、停電が生じて浴室の照明が消灯すると、使用者は暗がりの中で着衣して浴室から出なければならなくなるという不都合がある。
【０００３】
そこで、浴室の照明装置として、ＬＥＤを多数配列させた面状発光部と、商用電源により充電される電池を備え、停電により商用電源からの電力供給が遮断されたときに、強制的に電池からの供給電力により面状発光部を点灯させて、非常灯として機能するようにしたものが提案されている（例えば、特許文献１参照）。
【先行技術文献】
【特許文献】
【０００４】
【特許文献１】特開２００１−２３４３３号公報
【発明の概要】
【発明が解決しようとする課題】
【０００５】
上述したように、浴室の照明装置に非常灯の機能を持たせる場合、電池やその充電回路、ＬＥＤ等の省電力発光素子の駆動回路等を備えることによって、これらを備えない場合よりも照明装置が大型化して、浴室内の設備の占有スペースが増大するという不都合がある。そして、浴室はスペース的な制約が大きいため、このような浴室内の設備の占有スペースの増大は、極力避けることが望ましい。
【０００６】
また、照明装置とは別に非常灯を設けることも考えられるが、この場合にも、非常灯の設置スペースを別途確保することによって、浴室内の設備の占有スペースが増大するという不都合がある。
【０００７】
さらに、浴室以外の部屋においても、停電時に備えて非常灯を設けることが有効である。例えば、台所に非常灯を設けることによって、調理中に停電が生じたときに、調理者は非常灯の明かりを頼りに調理物や調理用具をしまうことができる。そして、台所等に非常灯の機能を備える場合にも、室内の設備の占有スペースの増大を抑制することが望ましい。
【０００８】
本発明はかかる背景を鑑みてなされたものであり、室内の設備の占有スペースの増大を抑制して、室内に非常灯の機能を導入することを目的とする。
【課題を解決するための手段】
【０００９】
本発明は上記目的を達成するためになされたものであり、家屋の室外に設置されて、商用電源から供給される電力により作動する給湯器本体と、発光部を有し、前記給湯器本体と接続ケーブルを介して接続されて、前記家屋の室内に設けられた前記給湯器本体の遠隔操作用のリモコンとを備えた給湯装置に関する。
【００１０】
そして、前記給湯器本体は、蓄電部と、前記商用電源から供給される電力により前記蓄電部を充電する充電部と、前記商用電源の停電を検出する停電検出部と、前記商用電源から給電されているときは、前記商用電源から供給される電力を前記接続ケーブルを介して前記リモコンに供給して、前記リモコンを作動させ、前記商用電源が停電したときには、前記蓄電部から供給される電力を前記接続ケーブルを介して前記リモコンに供給して、前記リモコンの発光部を発光させるリモコン制御部とを有することを特徴とする。
【００１１】
かかる本発明によれば、夜間に前記商用電源の停電が生じると、前記屋内の各部屋の照明が消灯するが、前記給湯器本体に備えられた前記蓄電部から供給される電力により、前記リモコンの発光部が発光して非常灯として機能する。
【００１２】
そして、前記蓄電部と前記停電検出部は、前記家屋の室外に設置された前記給湯器本体に備えられているため、前記リモコン側には、前記蓄電部及び前記停電検出部を備える必要がない。そのため、前記リモコンの容積が、前記蓄電部及び前記停電検出部を備えることによって増大することはない。したがって、室内の設備の占有スペースの増大を抑えて、室内に非常灯の機能を導入することができる。
【００１３】
また、前記リモコン制御部は、前記商用電源が停電し、前記蓄電部から前記接続ケーブルを介して前記リモコンに電力を供給して、前記リモコンの発光部を発光させるときに、停電が生じていることを報知することを特徴とする。この構成によれば、前記リモコンの発光部を視認した使用者に対して、停電が生じていることを認識させることができる。
【００１４】
また、前記リモコンが浴室に設置されていることを特徴とする。この構成によれば、特にスペース的な制約及びデザイン面での制約が厳しい浴室において、前記リモコンの発光部を非常灯として作動させることにより、これらの制約の下で浴室に非常灯の機能を実現することができる。
【００１５】
また、複数の前記リモコンが、前記家屋の室内に設置されていることを特徴とする。この構成によれば、前記給湯器本体に接続されて前記家屋の室内（浴室、台所、洗面所等）に設置された複数の前記リモコンが、非常灯として機能する。そのため、前記商用電源の停電が生じたときに、前記家屋の室内で前記リモコンの発光部により照射される範囲を拡大させて、非常灯としての機能を向上させることができる。
【図面の簡単な説明】
【００１６】
【図１】本発明の給湯装置の構成図。
【図２】停電時の処理のフローチャート。
【図３】停電時のタイミングチャート。
【図４】停電時のリモコンの表示態様の説明図。
【発明を実施するための形態】
【００１７】
本発明の実施の形態について、図１〜図４を参照して説明する。
【００１８】
図１を参照して、本実施形態の給湯装置は、家屋の室外に設置された給湯器本体１と、給湯器本体１を遠隔操作するためにこの家屋の室内に設置された浴室リモコン４０（本発明のリモコンに相当する）及び台所リモコン４２（本発明のリモコンに相当する）とを備えている。
【００１９】
給湯器本体１は、商用電源３０から給電される交流電力（例えば、ＡＣ１００Ｖの交流電力）により作動し、給湯器本体１の作動を制御するＣＰＵ（Central Processing Unit）１０、商用電源３０の停電を検出する停電検出部２０、キャパシタ２２（本発明の蓄電部に相当する）、商用電源３０から給電される交流電力から直流電力を生成すると共に、キャパシタ２２を充電する電源制御部２１（本発明の充電部の機能を含む）、浴室リモコン４０及び台所リモコン４２に電源供給すると共に、浴室リモコン４０及び台所リモコン４２との間で双方向の通信を行うリモコン通信部２３とを備えている。
【００２０】
ＣＰＵ１０は、メモリ（図示しない）に保持された給湯装置の制御用プログラムを実行することにより、給湯器本体１の給湯運転を実行する給湯制御部１２と、浴室リモコン４０及び台所リモコン４２に対する電源供給等を制御するリモコン制御部１１として機能する。
【００２１】
浴室リモコン４０は浴室の壁面等に設置され、第１接続ケーブル４１を介して給湯器本体１と接続されている。また、台所リモコン４２は台所の壁面等に設置され、第２接続ケーブル４３を介して給湯器本体１と接続されている。
【００２２】
電源制御部２１は、商用電源３０から給電されているときは、商用電源３０から供給される交流電圧Ｖacを直流電圧Ｖd1に変換して、ＣＰＵ１０及びリモコン通信部２３に供給する。また、電源制御部２１は、直流電圧Ｖd1によりキャパシタ２２を充電する。一方、商用電源３０が停電しているときには、電源制御部２１は、キャパシタ２２から供給される直流電圧Ｖd2をＣＰＵ１０及びリモコン通信部２３に供給する。
【００２３】
浴室リモコン４０及び台所リモコン４２は、商用電源３０から給電されているときは、電源制御部２１からリモコン通信部２３及び第１接続ケーブル４１，第２接続ケーブル４３を介して供給される直流電力により作動する。
【００２４】
そして、浴室リモコン４０及び台所リモコン４２は、図示しない各種スイッチが使用者により操作されたときに、この操作に応じた操作信号を給湯器本体１に送信し、給湯制御部１２は、この操作信号に応じて給湯設定温度、湯張り設定温度、湯張り設定量等を決定して給湯運転を実行する。
【００２５】
浴室リモコン４０は、バックライト付きの液晶パネルによる表示部４０ａ（表示部４０ａのバックライトは、本発明の発光部に相当する）を備え、表示部４０ａに給湯器本体１の運転状態（給湯温度、湯張り温度等）等を表示する。同様に、台所リモコン４２も、バックライト付きの液晶パネルによる表示部４２ａ（表示部４２ａのバックライトは、本発明の発光部に相当する）を備え、表示部４２ａに給湯器本体１の運転状態等を表示する。
【００２６】
次に、給湯器本体１と浴室リモコン４０及び台所リモコン４２は、商用電源３０の停電が生じたときに、浴室リモコン４０及び台所リモコン４２を非常灯として機能させるための処理を行う。以下、図２に示したフローチャートに従って、この処理について説明する。
【００２７】
図２のフローチャートはリモコン制御部１１（図１参照）により実行される。リモコン制御部１１は、ＳＴＥＰ１で停電検知タイマをリセットする。停電検知タイマは、後述するように、商用電源３０の停電を検知するためのものであり、タイマ時間は例えば２〜５秒に設定される。なお、このタイマ時間は、商用電源３０の瞬間的な停電を排除するための時間として設定されたものである。
【００２８】
続くＳＴＥＰ２で、リモコン制御部１１は、停電検出部２０（図１参照）により商用電源３０の停電が検出されているか否かを判断し、商用電源３０の停電が検出されているときにはＳＴＥＰ３に進む。一方、商用電源３０の停電が検出されていないときには、リモコン制御部１１はＳＴＥＰ２での判断を繰り返す。
【００２９】
なお、停電検出部２０は、商用電源３０の停電を検出しているときには停電検出信号Ｐcutを出力し、リモコン制御部１１は、この停電検出信号Ｐcutの入力により、商用電源３０の停電が検出されていることを認識する。
【００３０】
ＳＴＥＰ３で、リモコン制御部１１は、停電検知タイマをスタートさせる。そして、続くＳＴＥＰ４及びＳＴＥＰ１０からなるループを、ＳＴＥＰ４で停電検知タイマがタイムアップしたか否かを判断し、また、ＳＴＥＰ１０で停電検出部２０により商用電源３０の停電が検出された状態が継続しているか否かを判断しながら、繰り返し実行する。
【００３１】
ＳＴＥＰ４で停電検知タイマがタイムアップしたとき、すなわち、停電検出部２０により商用電源３０の停電が検出された状態がタイマ時間以上継続したときに、ＳＴＥＰ５に進み、リモコン制御部１１は、電源制御部２１に対してキャパシタ２２からの出力電力を、第１接続ケーブル４１を介して浴室リモコン４０に供給すると共に、第２接続ケーブル４３を介して台所リモコン４２に供給する。
【００３２】
また、続くＳＴＥＰ６で、リモコン制御部１１は、浴室リモコン４０に対して、リモコン通信部２３及び第１接続ケーブル４１を介して「非常灯処理」の実行を指示する信号を送信すると共に、台所リモコン４２に対して、リモコン通信部２３及び第２接続ケーブル４３を介して「非常灯処理」の実行を指示する信号を送信する。そして、ＳＴＥＰ７に進み、リモコン制御部１１は処理を終了する。
【００３３】
なお、リモコン制御部１１が、浴室リモコン４０及び台所リモコン４２に対する「非常灯処理」の実行を指示する信号の送信を終了した後は、電源供給部２１からＣＰＵ１０への電力供給を停止することで、キャパシタ２２の放電を抑えるようにしてもよい。
【００３４】
浴室リモコン４０は、「非常灯処理」の実行を指示する信号を受信すると、表示部４０ａのバックライトを点灯させる。同様に、台所リモコン４２も、「非常灯処理」の実行を指示する信号を受信すると、表示部４２ａのバックライトを点灯させる。これにより、浴室リモコン４０及び台所リモコン４２が非常灯として機能する。
【００３５】
一方、ＳＴＥＰ１０で、停電検出部２０により商用電源３０の停電が検出されていない状態となったときには、ＳＴＥＰ１に戻る。この場合には、ＳＴＥＰ５〜ＳＴＥＰ６の処理は実行されない。
【００３６】
図３は、以上説明した図２の処理が実行されたときのタイミングチャートであり、商用電源３０のＡＣ１００Ｖも電圧出力と、リモコン（浴室リモコン４０及び台所リモコン４２）の表示部（浴室リモコン４０の表示部４０ａ及び台所リモコン４２の表示部４２ａ）のバックライトの点灯／消灯の推移を、共通の時間軸（ｔ）により示したものである。
【００３７】
図３では、ｔ1で商用電源３０の停電が生じており、商用電源３０が停電した状態が、停電検知タイマのタイマ時間Ｔc以上継続したｔ2で、リモコンの表示部のバックライトが点灯している。リモコンの表示部のバックライトは、キャパシタ２２の出力電力により点灯し、キャパシタ２２の残充電量がある程度まで減少したｔ3で、リモコンの表示部のバックライトが消灯している。その後、ｔ4で商用電源３０が復電して、商用電源３０からの交流電圧の出力が再開されている。
【００３８】
次に、図４を参照して、浴室リモコン４０の表示部４０ａの表示態様について説明する。(1)に示したように、給湯器本体１が給湯運転を停止しているときは、浴室リモコン４０は表示部４０ａのバックライトを消灯する。
【００３９】
また、(2)に示したように、給湯器本体１が給湯運転を実行しているときには、浴室リモコン４０は、表示部４０ａに給湯設定温度５０、現在時刻５１、湯張り設定温度５２等を表示する。そして、省エネモード設定になっているか否かにより表示部４０ａのバックライトの点灯態様を切換える。
【００４０】
すなわち、省エネモード設定になっていないときは、浴室リモコン４０は、給湯器本体１が給湯運転を実行しているときに、表示部４０ａのバックライトを常時点灯する。一方、省エネモード設定になっているときには、浴室リモコン４０は、浴室リモコン４０に備えられたスイッチが操作されたときに表示部４０ａのバックライトを点灯し、スイッチが操作されない状態が所定時間以上継続したときに表示部４０ａのバックライトを消灯する。
【００４１】
そして、浴室リモコン４０は、給湯器本体１から「非常灯処理」の実行を指示する信号を受信すると、(3)に示したように、表示部４０ａのバックライトを点灯させて非常灯として機能すると共に、停電中表示５３を行って、使用者に商用電源３０の停電が生じていることを報知する。
【００４２】
なお、図４では浴室リモコン４０の表示部４０ａの表示態様について説明したが、台所リモコン４２の表示部４２ａの表示態様も同様である。また、「非常灯処理」により、浴室リモコン４０の表示部４０ａ及び台所リモコン４２の表示部４２ａのバックライトを、最大輝度で常時点灯させるようにしてもよいが、点灯時間を延ばすために、バックライトの輝度を落としてもよく、また、バックライトを点滅させてもよい。
【００４３】
また、本実施の形態では、給湯器本体１に浴室リモコン４０と台所リモコン４２を接続して、浴室リモコン４０と台所リモコン４２を非常灯として機能させたが、給湯器本体１に浴室リモコン４０のみを接続して非常灯として機能させるようにしてもよい。
【００４４】
また、浴室リモコン４０と台所リモコン４２に加えて、洗面所や居間等に設置された他のリモコンについても、浴室リモコン４０及び台所リモコン４２と同様の構成として、非常灯として機能させてもよい。
【００４５】
また、本実施の形態では、図４の(3)に示したように、浴室リモコン４０を非常灯として機能させる際に、停電中表示５３を行ったが、停電中表示５３を行わないようにしてもよい。
【００４６】
また、本実施の形態では、浴室リモコン４０及び台所リモコン４２の発光部として、表示部４０ａ，４２ａのバックライトを転用したが、表示部がＬＥＤや蛍光管等の自発光素子を用いた構成であるときには、商用電源３０の停電時にこの自発光素子を点灯させてもよい。また、表示部とは別に白色ＬＥＤ等の発光素子を備えて、商用電源３０の停電時にこの発光素子を点灯させるようにしてもよい。
【００４７】
また、本実施の形態では、本発明の蓄電部としてキャパシタ２２を用いたが、電池を用いてもよい。
【符号の説明】
【００４８】
１…給湯器本体、１０…ＣＰＵ、１１…リモコン制御部、１２…給湯制御部、２０…停電検出部、２１…電源制御部、２２…キャパシタ、２３…リモコン通信部、３０…商用電源、４０…浴室リモコン、４０ａ…（浴室リモコンの）表示部、４１…第１接続ケーブル、４２…台所リモコン、４２ａ…（台所リモコンの）表示部、４３…第２接続ケーブル。
【図１】
2011237131.tif 000003
【図２】
2011237131.tif 000004
【図３】
2011237131.tif 000005
【図４】
2011237131.tif 000006